(57)【要約】【課題】噴水でありながら直接触れて遊ぶことのできる噴水遊具を提供する。【解決手段】噴水遊具１を、給水された水を吐水する吐水口１２を有するウォータヘッド１１と、硬質素材からなる下方に開口した中空構造のフレーム層、フレーム層の外表面を被覆する軟質素材からなる保護層を有し、ウォータヘッド１１を覆設する筐体１５と、筐体１５を貫通して取付けられた噴水ノズル３０と、筐体１５内で噴水ノズル３０と吐水口１２とを連結する連結管４０とを具備する構成とする。【選択図】図１
2017023411.tif 000002
【特許請求の範囲】
【請求項１】
給水された水を吐水する吐水口を有するウォータヘッドと、
下方に開口した中空構造の硬質素材からなるフレーム層、前記フレーム層の外表面を被覆する軟質素材からなる保護層を有し、前記ウォータヘッドを覆設する筐体と、
前記筐体を貫通して取付けられた噴水ノズルと、
前記筐体内で前記噴水ノズルと前記吐水口とを連結する連結管と
を具備することを特徴とする噴水遊具。
【請求項２】
前記保護層を、複数の軟質素材を積層した多層構造とした
ことを特徴とする請求項１に記載の噴水遊具。
【請求項３】
前記筐体は着脱可能に配設されており、
前記連結管は屈曲自在であり、前記噴水ノズルと吐水口とに着脱可能に遊架されている
ことを特徴とする請求項１または請求項２に記載の噴水遊具。
【請求項４】
前記ウォータヘッドは着脱可能に設置口に配設されており、
前記設置口に着脱可能な蓋体を更に備えて、前記蓋体により、前記筐体及び前記ウォータヘッドを取外した後の設置口を閉封することができる
ことを特徴とする請求項３に記載の噴水遊具。
【発明の詳細な説明】
【技術分野】
【０００１】
本発明は、噴水でありながら遊具として使用できる噴水遊具に関するものである。
【背景技術】
【０００２】
噴水は、景観を整えるために公園や広場、または美術館やホテルに設置される。噴水の水の形状には様々な種類があり、例えば、棒状の水を噴出するものや、霧状の水を噴出するもの、円盤状のノズルの円周から水をドーム状に噴出するものなどがある。また、水道の水のように透明な水を噴出するものや、気泡を含ませることにより白く見える水を噴出するものがある。
【０００３】
噴水の形状も種々あり、貯水池の中央にノズルを立設する簡素なものや、地中にノズルを埋設して地面から水を噴出するものがある。また、貯水池に岩などの自然物、人、動物などの造形物を配設して装飾された噴水がある。
【０００４】
上記の噴水を装飾する造形物は主に鑑賞することを目的にしており、硬い材質で形成されている。このため、夏場に子供が噴水の貯水池で水遊びをする場合に、造形物は触れて遊ぶことには適さない。つまり、従来の噴水は、鑑賞する以外の楽しみを提供するものではなかった。
【発明の概要】
【発明が解決しようとする課題】
【０００５】
そこで、本発明は、上記の実情に鑑み、噴水でありながら直接触れて遊ぶことができる噴水遊具の提供を、課題とするものである。
【課題を解決するための手段】
【０００６】
請求項１の発明にかかる噴水遊具は、
「給水された水を吐水する吐水口を有するウォータヘッドと、
下方に開口した中空構造の硬質素材からなるフレーム層、前記フレーム層の外表面を被覆する軟質素材からなる保護層を有し、前記ウォータヘッドを覆設する筐体と、
前記筐体を貫通して取付けられた噴水ノズルと、
前記筐体内で前記噴水ノズルと前記吐水口とを連結する連結管とを具備する」ものである。
【０００７】
本構成の噴水遊具は、吐水口を有するウォータヘッドが筐体に覆われている。そして、筐体に取付けられた噴水ノズルと吐水口とが連結管で連結されている。つまり、本構成の噴水遊具は、筐体に取付けられた噴水ノズルから水が噴出されるものである。
【０００８】
そして、筐体は、硬質素材からなるフレーム層と、フレーム層の外表面を被覆する軟質素材からなる保護層とで構成される。フレーム層は筐体の形状を維持し、保護層は筐体の表面にクッション性を持たせている。これにより、筺体に直接触れたり、登ったり、或いは抱付いたりして遊ぶことができる。
【０００９】
請求項２の発明にかかる噴水遊具は、上記構成において、
「前記保護層を、複数の軟質素材を積層した多層構造とした」ものである。
【００１０】
本構成の噴水遊具は、保護層が多層構造になっている。これにより、軟質素材を積層して保護層を十分なクッション性となる厚さにできる。また、保護層を部分的に厚くすることもでき、これにより複雑な形状を形成することができる。
【００１１】
請求項３の発明にかかる噴水遊具は、上記構成において、
「前記筐体は着脱可能に配設されており、前記連結管は屈曲自在であり、前記噴水ノズルと吐水口とに着脱可能に遊架されている」ものである。
【００１２】
「遊架」は、遊びのある状態で一方から他方へ架渡されて繋がれていることを指す。
【００１３】
本構成の噴水遊具は、筐体と連結管が着脱可能である。また、連結管は遊びのある状態で繋がれている。これにより、連結管がウォータヘッドの吐水口と噴水ノズルとに連結された状態で、連結管の遊びの分だけ筐体を上方に移動させることができる。そして、この状態で連結管の交換、保守、点検を行うことができる。
【００１４】
請求項４の発明にかかる噴水遊具は、上記構成に加え、
「前記ウォータヘッドは着脱可能に設置口に配設されており、
前記設置口に着脱可能な蓋体を更に備えて、前記蓋体により、前記筐体及び前記ウォータヘッドを取外した後の設置口を閉封することができる」ものである。
【００１５】
本構成の噴水遊具では、筐体とウォータヘッドを取外したあとに設置口の開口を蓋体で閉封することができる。また、ウォータヘッドを取外して保守、点検を行うことができる。
【発明の効果】
【００１６】
以上のように、本発明の効果として、噴水でありながら直接触れて遊ぶことのできる噴水遊具を提供することができる。
【図面の簡単な説明】
【００１７】
【図１】本発明の一実施形態である噴水遊具の下方の一部を断面とした正面図である。
【図２】図１の噴水遊具の平面図である。
【図３】図１の噴水遊具の筐体の断面図と噴水ノズル部分の拡大断面図である。
【図４】図１の噴水遊具の筐体を取外して蓋体を配設した状態を示す、一部を断面とした正面図である。
【図５】図１の噴水遊具の別形態を示す、下方の一部を断面とした正面図である。
【発明を実施するための形態】
【００１８】
以下、本発明の一実施形態である噴水遊具１について図１〜５を用いて説明する。
【００１９】
本実施形態の噴水遊具１は、公園や遊園地等に設置されるものである。本実施形態の噴水遊具１を設置する場所には、コンクリートの設置口７０が打設されている。設置口７０は、縦方向に貫通した枠状であり、上面には雌ネジを有する複数の上面孔部７１が穿設されている。設置口７０の下方には、配水管８０が配管されている。また、噴水遊具１の周囲には防水ゴムチップ９０が舗装されている。なお、防水ゴムチップ９０の舗装は透水性がある。これにより、噴水遊具１の周囲に水が溜まらず、滑りにくくすることができる。
【００２０】
図１，２に示すように、配水管８０には、ウォータヘッド１１が着脱可能に連結されている。ウォータヘッド１１は、配水管８０から給水された水を吐出する複数の吐水口１２を有しており、設置口７０の上面よりも下方に位置している。設置口７０の上面には、丸いキノコの形状の筺体１５が着脱可能に設置されている。また、筺体１５には複数の噴水ノズル３０が噴水口３１を外側に向けて取付けられている。そして、複数の噴水ノズル３０はそれぞれ、着脱可能な連結管４０により、ウォータヘッド１１の複数の吐水口１２に連結されている。
【００２１】
ウォータヘッド１１は、上部のヘッド部１３と下部のフランジ部１４とを備えている。
ヘッド部１３には、複数の吐水口１２が取付けられている。また、ヘッド部１３は、それぞれの吐水口１２から吐水する水の量を調節する複数のバルブを備えている。フランジ部１４は、配水管８０のフランジ８１とそれぞれ連通可能な複数の貫通孔を有している。そして、ウォータヘッド１１は、フランジ部１４と配水管８０のフランジ８１の貫通孔に挿通されたボルト８２にナット８３を螺合して配水管８０に締結されている。
【００２２】
筺体１５は、図３に示すように、下方が開口した中空構造のフレーム層１６の外表面を、噴水ノズル３０部分を除いて保護層１７で被覆したものである。フレーム層１６は、硬質素材である繊維強化プラスチック（ＦＲＰ）で形成されている。フレーム層１６が高い強度を有することにより、筺体１５の形状を保つことができる。なお、フレーム層１６は、アクリロ二トリル・ブタジエン・スチレン（ＡＢＳ）樹脂、アクリル樹脂等の硬質の樹脂や、アルミニウム、ステンレス等の金属製にしてもよい。ＦＲＰ製のフレーム層１６は、強度を維持しつつ軽量にでき、また、形状の自由度が高いため好ましい。
【００２３】
フレーム層１６の開口１６ａの縁からは、外側へ水平に固定板１８が延出している。固定板１８には複数の固定孔部１９が貫設されている。筺体１５は、固定孔部１９に挿通したアンカーボルト９５を設置口７０の上面孔部７１の雌ネジに螺合して固定されている。
【００２４】
複数の噴水ノズル３０は、噴水口３１をフレーム層１６の外側に向けた状態でフレーム層１６を貫通して固定されている。つまり、噴水ノズル３０はフレーム層１６と一体になっている。
【００２５】
保護層１７は、三層構造になっており、それぞれが軟質素材で形成されている。フレーム層１６の表面に接した一層目は、発泡ウレタン層１７ａであり、二層目はウレタン樹脂層１７ｂ、三層目は、ゴム系塗料層１７ｃである。発泡ウレタン層１７ａは、液状の発泡ウレタンを筺体１５にスプレーして硬化させることにより形成することができる。そして、発泡ウレタン層１７ａにより、フレーム層１６の大まかな形状の上に細かな凹凸が形成されている。ウレタン樹脂層１７ｂは、液状のウレタン樹脂をスプレーして形成することができ、発泡ウレタン層１７ａの表面を平滑にしている。ゴム系塗料層１７ｃは、ゴム系塗料をスプレーや刷毛で塗装することにより形成することができる。なお、筺体１５はゴム系塗料により着色されており、例えばキノコ全体を赤色にして円形に隆起した部分Ａを黄色にすることができる。
【００２６】
連結管４０は、ステンレス製のフレキシブルホースである。連結管４０は、吐水口１２と噴水ノズル３０とに着脱可能に遊架されている。つまり、連結管４０は遊びのある状態で取付けられている。
【００２７】
次に、本実施形態の噴水遊具１の取付方法について説明する。まず、ウォータヘッド１１を配水管８０に連結する。ウォータヘッド１１は、フランジ部１４を配水管８０のフランジ８１と貫通孔が連通した状態で重合わせ、貫通孔に挿通したボルト８２にナット８３を螺合して締結する。次に、ウォータヘッド１１の吐水口１２に連結管４０の一端を連結する。続いて、筺体１５を設置口７０の上方に位置させて、連結管４０の他端を噴水ノズル３０に連結する。連結管４０は、筐体１５内で遊びがある状態になるように、取付ける吐水口１２と噴水ノズル３０間の直線距離よりも長いものにする。そして、筺体１５を設置口７０の上面に設置し、固定孔部１９にアンカーボルト９５を挿通して上面孔部７１の雌ネジに螺合する。これにより、筐体１５がウォータヘッド１１を覆った状態で固定される。なお、上記とは逆に、予め噴水ノズル３０に連結管４０の一端を連結してもよい。この場合は、筐体１５を連結管４０と一体で設置口７０の上方に移動させて、連結管４０の他端を吐水口１２に連結する。なお、噴水遊具１の取付作業と後述する取外作業は、配水管８０の元バルブを閉じた状態で行う。
【００２８】
次に、本実施形態の噴水遊具１の使用方法を説明する。本実施形態の噴水遊具１は、複数の噴水ノズル３０から水を噴出することができる。それぞれの噴水ノズル３０から噴出する水の水圧は、ウォータヘッド１１のバルブで調節することができる。例えば、噴水の水が届く範囲を、噴水遊具１を中心として直径１ｍ〜３ｍに調整する。また、噴水ノズル３０から噴出される水の形状は、噴水ノズル３０の噴水口３１の形状と、噴出する水の水圧で棒状、霧状、シャワー状に切替えることができる。
【００２９】
そして、本実施形態の噴水遊具１では、筺体１５の外表面がクッション性を有する保護層１７になっている。これにより、子供たちが本実施形態の噴水遊具１に直接触ったり、登ったり、或いは抱付いたりして遊ぶことができる。このように、本実施形態の噴水遊具１は、噴水でありながら直接触れて遊ぶことができる従来にない遊具となる。
【００３０】
更に、本実施形態の噴水遊具１は、主に夏期に使用するものであるが、冬期など噴水遊具１を使用しない場合には取外すことができる。そこで、次に、本実施形態の噴水用具１の取外方法について図１及び図４を用いて説明する。
【００３１】
ここで、本実施形態の噴水遊具１は、設置口７０を閉封する平板状の蓋体５０を備えている。蓋体５０は、筺体１５の固定板１８の外周と略同一の大きさの平板である。蓋体５０には、設置口７０の複数の上面孔部７１とそれぞれ連通可能な複数の貫通孔が設けられている。これにより、設置口７０の上面に配設した蓋体５０の貫通孔にアンカーボルト９５を挿通し、上面孔部７１の雌ネジと螺合して固定することができる。そして、設置した蓋体５０の上面に大型の防水ゴムチップ板９２を敷設することにより、周囲と同じ状態にすることができる。
【００３２】
図１の状態の噴水遊具１を取外すには、まず、筺体１５を固定しているアンカーボルト９５を取外す。そして、筺体１５を連結管４０の遊びの分だけ上方に移動させる。次に、吐水口１２から連結管４０の一端を取外す。続いて、筺体１５を連結管４０と一体で移動させる。或いは、筺体１５を上方に移動させた状態で連結管４０を噴水ノズル３０から取外して、まず筺体１５だけを移動させてもよい。次に、フランジ部１４を締結しているボルト８２とナット８３を取外して、ウォータヘッド１１を取外す。配水管８０は、蓋部材８４で閉封する。
【００３３】
そして、蓋体５０で設置口７０を閉封し、蓋体５０の上面に大型の防水ゴムチップ板９２を敷設する。これにより、噴水遊具１の設置場所に広いスペースを設けることができ、その場所でイベントなどを行うことができる。
【００３４】
なお、本実施形態の噴水遊具１では、ウォータヘッド１１が設置口７０の上面よりも下方に位置しているため、ウォータヘッド１１が配水管８０に連結されている状態で蓋体５０を設置することもできる。また、ウォータヘッド１１は、設置口７０の上面よりも上方に位置してもよい。図５に示す例では、ウォータヘッド２１のヘッド部２３が設置口７０よりも上方に位置している。この場合は、ウォータヘッド２１を取外したのちに蓋体５０を設置する必要がある。
【００３５】
ここで、上記では、保護層１７を三層構造としたが、これに限らず、例えば一層目にウレタンスポンジ層を積層して四層構造にしてもよい。或るいは十分なクッション性を持たせれば一層構造であってもかまわない。また、部分的に積層数を増減してもよく、例えば、筐体１５の円形に隆起した部分Ａを四層構造にしてもよい。この場合は、積層数を増やすことにより容易に厚くすることができる。そして、表面の凹凸が複雑な形状であっても形成しやすい。なお、発泡ウレタンは、クッション性を有する厚い層を容易に形成することができるため好ましい。
【００３６】
また、上記では、複数の噴水ノズル３０と吐水口１２を備える場合を示したが、複数に限定されるものではなく、一個の噴水ノズル３０と吐水口１２を備えるものでもよい。複数の噴水ノズル３０を備える場合は、それぞれから噴出される水の形状を変えることができ、噴水としても観賞することができるため好ましい。
【００３７】
更に、筺体１５の上記の形状に限らない。例えば、図５では筺体２５がイチゴの形状になっており、イチゴの種に似せて複数の噴水ノズル３０が取付けられている。このように、筐体の形状は、バナナやブドウ、リンゴ等の果物や、或いは、漫画やアニメのキャラクタのように様々な形状にしてもよい。また、筐体の大きさは、子供が腰を掛けられるように小さくしてもよく、或いは子供が見上げるような大きさにしてもよい。
【００３８】
加えて、上記では、噴水遊具が一個の場合を示したが、複数の噴水遊具を備えてもよい。例えば、動物園にパンダやゴリラ、ゾウ等の動物の形状をした複数の噴水遊具を設置することで、より動物園に適した噴水遊具にすることができ、子供たちを楽しませることができる。
【００３９】
また、ウォータヘッドは、噴水制御パターンに従って噴水ノズルから噴出される水を制御する噴水制御手段としてのプログラマブルコンピュータ（ＰＬＣ）と、噴水制御手段の出力する信号によって開閉する電子バルブを備えてもよい。この場合は、噴水制御パターンにより、噴水を制御することができる。更には、ＰＬＣが通信手段を備えてもよく、この場合は、ネットワークを介して噴水制御パターンを噴水制御手段に送信することにより噴水を制御することができる。
【００４０】
以上、本発明について好適な実施形態を挙げて説明したが、本発明は上記の実施形態に限定されるものではなく、本発明の要旨を逸脱しない範囲において、種々の改良及び設計の変更が可能である。
【符号の説明】
【００４１】
１  噴水遊具
１１，２１  ウォータヘッド
１２，２２  吐水口
１３，２３  ヘッド部
１４，２４  フランジ部
１５，２５  筐体
１６  フレーム層
１７  保護層
３０  噴水ノズル
３１  噴水口
４０  連結管
５０  蓋体
【図１】
2017023411.tif 000003
【図２】
2017023411.tif 000004
【図３】
2017023411.tif 000005
【図４】
2017023411.tif 000006
【図５】
2017023411.tif 000007